(57)【特許請求の範囲】
【請求項１】
水栓本体と配管との間に接続される偏心管であって、偏心管本体と、配管接続部材とを備え、スプリングによる配管の軸方向に沿う押圧力で前記偏心管本体および配管接続部材が一体的に配管の軸まわりに回動可能なように前記偏心管本体および配管接続部材を係合させる係合状態と、前記押圧力に抗して前記偏心管本体を前記軸方向に沿って配管側に移動させ、前記偏心管本体と配管接続部材との係合が解除されて前記配管接続部材は静止したままで前記偏心管本体の前記軸まわりの回動を許容する非係合状態とに切替可能に構成されていることを特徴とする偏心管。
【請求項２】
水栓本体と配管との間に接続される偏心管であって、環状の内周面に第１の係合手段が形成された筒状の開口部を上流側に有する偏心管本体と、前記開口部内に前記開口部と同軸に配置された状態で前記偏心管本体に固定される筒状体と、この筒状体および前記開口部間に同軸に介装され、前記第１の係合手段に係合する第２の係合手段を環状の外周面に有するとともに、前記第２の係合手段よりも上流側に配管に対する接続用ネジ部を有する筒状の配管接続部材とを備え、更に、配管との接続時には、前記第１の係合手段と前記第２の係合手段との係合により、前記偏心管本体、筒状体および配管接続部材が一体となって配管の軸まわりに回動されるよう前記偏心管本体を常時下流側に付勢するスプリングを設け、水栓本体に対する位置合わせ時には、前記偏心管本体を前記スプリングの付勢力に抗して上流側に押圧することにより前記第１の係合手段と第２の係合手段との係合状態を解除し、前記配管接続部材は静止したままで前記偏心管本体を前記軸まわりに回動可能としてあることを特徴とする偏心管。
【発明の詳細な説明】
【０００１】
【発明の属する技術分野】
この発明は、水栓本体と配管との間に接続される偏心管に関するものである。
【０００２】
【従来の技術】
【特許文献１】
特許第３２９４８３０号公報
水栓本体と配管との間に接続される偏心管として、偏心管本体と、配管接続時には偏心管本体と一体に配管の軸まわりに回動する配管接続部材とを有し、配管接続部材を配管に接続固定した後には、配管の軸方向に沿って、偏心管本体を配管側とは反対方向の水栓本体側に移動させ、偏心管本体のみの前記軸まわりの回動を許容させ、それによって水栓本体に対する偏心管本体の位置合わせが行えるよう構成されたものがある（前記特許文献１参照）。
【０００３】
【発明が解決しようとする課題】
しかし、位置合わせ後において直ちに偏心管本体の接続部を水栓本体の接続部に締付ける作業を行う必要がある。すなわち、偏心管本体の接続部を水栓本体の接続部に対応する所定の位置に回動させても、この回動位置に水栓本体を維持する手段を持たないので、締付け前に偏心管本体から手を放すと偏心管本体は前記軸まわりに回動して前記所定の位置からずれることになり、再度微調整作業を行う必要がある。要するに、従来では、微調整して直ちに締付けなければならないという制約がある。
【０００４】
この発明は、上記問題に鑑みてなしたもので、水栓本体に対する位置合わせ後に偏心管本体から手を放しても偏心管本体を一旦保持できてその後水栓本体に締付けることができる機構を有する偏心管を提供することを目的としている。
【０００５】
【課題を解決するための手段】
上記目的を達成するために、発明の偏心管は、水栓本体と配管との間に接続される偏心管であって、偏心管本体と、配管接続部材とを備え、スプリングによる配管の軸方向に沿う押圧力で前記偏心管本体および配管接続部材が一体的に配管の軸まわりに回動可能なように前記偏心管本体および配管接続部材を係合させる係合状態と、前記押圧力に抗して前記偏心管本体を前記軸方向に沿って配管側に移動させ、前記偏心管本体と配管接続部材との係合が解除されて前記配管接続部材は静止したままで前記偏心管本体の前記軸まわりの回動を許容する非係合状態とに切替可能に構成されていることを特徴とする。
【０００６】
また、この発明は別の観点から、水栓本体と配管との間に接続される偏心管であって、環状の内周面に第１の係合手段が形成された筒状の開口部を上流側に有する偏心管本体と、前記開口部内に前記開口部と同軸に配置された状態で前記偏心管本体に固定される筒状体と、この筒状体および前記開口部間に同軸に介装され、前記第１の係合手段に係合する第２の係合手段を環状の外周面に有するとともに、前記第２の係合手段よりも上流側に配管に対する接続用ネジ部を有する筒状の配管接続部材とを備え、更に、配管との接続時には、前記第１の係合手段と前記第２の係合手段との係合により、前記偏心管本体、筒状体および配管接続部材が一体となって配管の軸まわりに回動されるよう前記偏心管本体を常時下流側に付勢するスプリングを設け、水栓本体に対する位置合わせ時には、前記偏心管本体を前記スプリングの付勢力に抗して上流側に押圧することにより前記第１の係合手段と第２の係合手段との係合状態を解除し、前記配管接続部材は静止したままで前記偏心管本体を前記軸まわりに回動可能としてあることを特徴とする偏心管を提供する。
【０００７】
【発明の実施の形態】
以下にこの発明の実施形態について説明する。なお、それによって、この発明は限定されるものではない。
【０００８】
図１は、配管との接続時を示し、図２は、配管との接続後に行われる水栓本体に対する位置合わせ時を示す。また、図１において、Ａは配管が位置する配管側、Ｂは水栓本体が位置する水栓本体側である。
【０００９】
図１、図２において、１は、水栓本体と配管との間に接続される偏心管である。この偏心管１は、平面視クランク状の偏心管本体２と、この偏心管本体２に取付けられている筒状体３と、配管との接続時には、偏心管本体２および筒状体３と一体となって配管の軸まわりに回動される筒状の配管接続部材４とを主として備えている。
【００１０】
更に、前記偏心管本体２は、環状の内周面ｍに第１のセレーション（第１の係合手段）５が形成された筒状の開口部６を上流側に有する。また、前記偏心管本体２は、上流側から順次、前記開口部６、流量調整弁１６を有する流量調整部１７、筒状のストレート部１８、筒状、かつネット状のストレーナ１９を上流側に取り付けられた水栓本体接続部２０を備えている。筒状体３は、偏心管本体２の取付け位置に雄ネジを有する。
【００１１】
また、前記筒状体３は、前記開口部６内に前記開口部６と同軸に配置された状態で前記偏心管本体２に固定されている。７は、開口部６の内周面ｍよりも内方に突出しており、開口部６の根元に設けられている小径部分である。すなわち、この小径部分７は、開口部６の内径よりも小さく設定された内径を有する。また、小径部分７は、筒状体３の前記雄ネジに螺合する雌ネジを内周に有する。
【００１２】
前記配管接続部材４は、筒状体３および前記開口部６間に同軸に介装されている。前記配管接続部材４は、前記第１のセレーション５に係合する第２のセレーション（第２の係合手段）８を環状の外周面ｎに有するとともに、前記第２のセレーション８よりも上流側に配管に対する接続用ネジ部９を有する。また、配管接続部材４は、第２のセレーション８に対応する内周面ｎ’の位置に一対のＯリング１１の嵌込み溝１１ａを軸Ｘの方向に沿って複数有するとともに、これら溝１１ａの直下流側に内周面ｎ’から内側に突出した環状のフランジ１２を有する。
【００１３】
１０は、偏心管本体２を配管の軸方向に沿う押圧力Ｆでもって付勢しているスプリングで、偏心管本体２の前記小径部分７と配管接続部材４の前記環状のフランジ１２間に設けられている。そして、スプリング１０内に筒状体３の下流部分が挿通されている。
【００１４】
而して、第１のセレーション５と第２のセレーション８との係合により、偏心管本体２、筒状体３および配管接続部材４が一体となっているので、工具なしで偏心管１を配管に接続できる。すなわち、偏心管１を締付け用の工具として用いることができるもので、接続用ネジ部９を配管のネジ部に位置合わせさせながら、偏心管本体２、筒状体３および配管接続部材４が一体となっている図１に示す偏心管１を、この状態で、一体的に配管の軸まわりに回動させることにより、接続用ネジ部９を配管のネジ部に締付けることができ、偏心管本体２を配管に接続することができる。
【００１５】
次に、水栓本体接続部２０の微調整を行って水栓本体の接続部に対する位置合わせを行う場合について説明する。
【００１６】
この場合、偏心管本体２を配管の軸方向に沿って配管側に移動させる。すなわち、偏心管本体２をスプリング１０の付勢力Ｆに抗して上流側に押圧すると偏心管本体２と筒状体３は一体になって配管側に移動する。これにより、第１のセレーション５と第２のセレーション８との係合状態が解除され、配管接続部材４は静止したままで、かつ、偏心管本体２を上流側に押圧力Ｆでもって押圧しながら、偏心管本体２を筒状体３と共に配管の軸まわりに回動できる。
【００１７】
つまり、この位置合わせ作業では、偏心管本体２を上流側に押圧力Ｆでもって押圧しながら水栓本体接続部２０が水栓本体の接続部に対応する所定の位置にくるまで偏心管本体２を配管の軸まわりに回動させるが、位置合わせ後、たとえ作業者が偏心管本体２から手を放しても、配管接続部材４は配管に既に固定されており、スプリング１０による前記押圧力Ｆにより偏心管本体２とこれに一体の筒状体３を、前記所定の位置からずれることなく自然復帰させることができる。続いて、水栓本体接続部２０と水栓本体の接続部との接続を、水栓本体接続部２０に設けた袋ナット２０ａを締付けるだけで水栓本体と偏心管１とを接続できる。
【００１８】
このように、位置合わせ後、たとえ作業者が偏心管本体２から手を放して前記押圧力Ｆに抗した力を取り去っても、袋ナット２０ａの締付け前に一旦偏心管本体２を保持できるものであり、従来のように、偏心管本体が配管の軸まわりに回動して位置合わせの位置から偏心管本体がずれるといったことを回避でき、位置合わせ後に直ちに袋ナット２０ａを締付ける必要はなくなり締付け作業に自由度が生じることになる。
【００１９】
なお、この実施形態では第１の係合手段および第２の係合手段として、それぞれ、第１のセレーション５および第２のセレーション８を用いたものを示したが、この発明ではこれらに限るものではない。
【００２０】
【発明の効果】
以上説明したようにこの発明によれば、水栓本体に対する位置合わせ後に偏心管本体から手を外しても偏心管本体を一旦保持できてその後水栓本体に締付けることができ、締付け作業に自由度が生じる効果がある。
【図面の簡単な説明】
【図１】この発明の一実施形態における配管との接続時の状態を示す全体構成説明図である。
【図２】上記実施形態において、配管との接続後に行われる水栓本体に対する位置合わせ時に行われる状態を示す要部構成説明図である。
【符号の説明】
１…偏心管、２…偏心管本体、４…配管接続部材、５…第１のセレーション（第１の係合手段）、８…第２のセレーション（第２の係合手段）、１０…スプリング、Ｆ…押圧力。
【図１】
0003688275.tif 000002
【図２】
0003688275.tif 000003